(57)【要約】【課題】大きな振幅で振動して再生音を発生することが可能な電磁変換器、及び、正面投影面積を抑えながら再生音の放射面積を増大して低音再生能力の向上ならびに出力音圧レベルの向上を図り、また強い指向性を生じさせずに良好な音響出力を行う。【解決手段】振動板にポリイミドフィルムよりも大振幅の振動を発生させたときに変形し難い樹脂あるいはコーン紙を用い、振動板の振動を支持部材へ伝えないダンパを介して当該振動板を支持部材に支持させた電磁変換器２を、屏風状に形成された筐体３の正面に複数連ねて備えた。【選択図】図１
2008259049.tif 000002
【特許請求の範囲】
【請求項１】
帯状の多極着磁パターンが形成された永久磁石板、表面に形成された蛇行コイルパターンに電流が流れると前記永久磁石板と電磁結合して振動する振動膜、前記永久磁石板と振動膜との間に配置される緩衝部材、及び、前記永久磁石板と振動膜と緩衝部材とを積層させた構造体を覆い支持する支持部材を備える電磁変換器において、
前記振動膜は、蛇行コイルパターンを形成させた振動板の縁端部に該振動板の振動を支持部材へ伝えないダンパを備え、該ダンパを介して支持部材に支持されることを特徴とする電磁変換器。
【請求項２】
振動膜は、振動板にポリイミドフィルムよりも大振幅の振動を発生させたときに変形し難い樹脂あるいはコーン紙を用いることを特徴とする請求項１記載の電磁変換器。
【請求項３】
屏風状に形成された筐体の正面に複数の電磁変換器を屏風状に連ねて備えるスピーカ装置。
【請求項４】
請求項１または請求項２に記載の電磁変換器を備えることを特徴とする請求項３記載のスピーカ装置。
【発明の詳細な説明】
【技術分野】
【０００１】
この発明は、例えばオーディオ信号を再生する電磁変換器及び該電磁変換器を用いたスピーカ装置に関するものである。
【背景技術】
【０００２】
電磁変換器は、平行縞状の多極着磁パターンを形成させた永久磁石板、永久磁石板と対向するように配置される樹脂フィルムの振動膜、及び、永久磁石板と振動膜との間に配置される緩衝部材によって構成されている。永久磁石板の多極着磁パターンは、極性の異なる磁極を交互に、また一定の間隔で配置したものである。振動膜は、永久磁石板に配置されている異なる磁極同士の間隙部分に生じる、いわゆる着磁のニュートラルゾーンと称される部分と対向するように、蛇行形状の導体パターンからなるコイルを膜面全体に形成させている。
このような構成において振動膜のコイルにオーディオ信号の電流が流れると、コイルと永久磁石板の多極着磁パターンが電磁結合し、振動膜にフレミングの法則に則ってオーディオ振動が発生する（例えば、特許文献１参照）。上記の永久磁石板、振動膜、及び緩衝部材は電磁変換器のフレームに覆われて支持され、スピーカ装置の筐体等の正面に取り付けられている。
【０００３】
【特許文献１】特開平９−３３１５９６号公報（第３〜５頁、図１,２）
【発明の開示】
【発明が解決しようとする課題】
【０００４】
従来の電磁変換器は以上のように構成されているので、フィルム状の振動膜によって低音を良好に再生するとき、また、音圧レベルを向上させるためには、振動膜の面積を増大する、即ち電磁変換器等の外形寸法を大きくする、または振動膜の振幅量を大きくしなければならず、外形の大型化が避けられず、また薄膜の振動膜を用いると大振幅の振動によって変形してしまうという課題があった。
また、振動膜は膜面の鉛直方向に振動するため、電磁変換器の出力音声は指向性が強いものとなって、良好な音響が得られるように再生音を放射するハイファイスピーカ装置として使用することには不向きであるという課題があった。
【０００５】
この発明は上記のような課題を解決するためになされたもので、大きな振幅で振動して再生音を発生することが可能な電磁変換器、及び、正面投影面積を抑えながら再生音の放射面積を増大して低音再生能力の向上ならびに出力音圧レベルの向上を図り、また強い指向性を生じさせずに良好な音響出力を行うスピーカ装置を得ることを目的とする。
【課題を解決するための手段】
【０００６】
この発明に係る電磁変換器は、蛇行コイルパターンを形成させた振動板の縁端部に該振動板の振動を支持部材へ伝えないダンパを備え、振動板を該ダンパを介して支持部材に支持させるものである。
【０００７】
この発明に係るスピーカ装置は、屏風状に形成された筐体の正面に複数の電磁変換器を屏風状に連ねて備えるものである。
【発明の効果】
【０００８】
この発明によれば、電磁変換器の振動板をダンパを介して支持部材に支持させたので、振動板の振動を妨げずにオーディオ再生音を発生させることができる。
また、複数の電磁変換器を屏風状に配置したので、正面投影面積を抑えながらオーディオ再生音を放射する面積を稼ぎ、低音再生能力の向上、音圧レベル向上、及び無指向性の音響出力を得ることができるという効果がある。
【発明を実施するための最良の形態】
【０００９】
以下、この発明の実施の一形態を説明する。
実施の形態１．
図１は、この発明の実施の形態１によるスピーカ装置の構成を示す説明図である。この図は、実施の形態１によるスピーカ装置１を斜視した概観を示すもので、後述するように構成された電磁変換器２をスピーカ装置１の筐体３に備えた態様を示したものである。
筐体３は、単一平面から成る装着面を複数連ねて屏風状に折り畳んだ形状を正面に向けて形成しており、各装着面に１台ずつ電磁変換器２を装着すると各々の電磁変換器２が異なる方向へオーディオ再生音を放射するように構成されている。図１に例示した筐体３には１２台の電磁変換器２が装着され、図中左方向へ再生音の放射を行うように６台、右方向へ再生音の放射を行うように６台が配置されている。筐体３の上記装着面は、図示したように角度αをもって開いた屏風状に形成されたもので、各装着面に電磁変換器２を各々装着したときに、対向する二つの電磁変換器２が例えば６０［°］以上の角度αを成すように構成されている。
【００１０】
図２は、実施の形態１による電磁変換器の構成を示す分解斜視図である。この図は、図１に示した電磁変換器２の概略構成を示すもので、一枚の振動膜を二枚の永久磁石板によって上下から挟むように構成したものである。振動膜２３の膜面両側には緩衝部材２２ａ，２２ｂが配置され、背面側永久磁石板２１ならびに前面側永久磁石板２４との緩衝を防ぐように積層されている。
図２に例示した電磁変換器２は、フレームを構成する支持部材１１及び支持部材１２によって構造体１０を覆い、当該フレーム内部に支持するように構成されている。構造体１０は、背面側永久磁石板２１、緩衝部材２２ａ、振動膜２３、緩衝部材２２ｂ、及び、前面側永久磁石板２４を積層させたものである。なお、ここで例示する構造体１０を構成する各部材等は、各々の板面等の形状を概ね同様な大きさの長方形に形成したものである。
【００１１】
支持部材１１，１２は、強磁性体の例えば鉄板等を板金加工によって箱状に形成したもので、支持部材１１は長方形の底面と四つの側壁面を有し、当該底面に対向する部分を開口させている。また、支持部材１２は長方形の上面と四つの側壁面を有し、当該上面の対向する部分を開口させている。支持部材１１の底面には構造体１０が発生させた音声を外部へ放出する音放射穴１１ａが複数設けられ、支持部材１２の上面にも同様な音放射穴１１ａが複数設けられている。また、支持部材１１の開口部縁周、即ち四つの側壁の端部には鍔状の接合部１１ｂが設けられ、支持部材１２の開口部縁周にも同様な接合部１２ｂが設けられている。
【００１２】
背面側永久磁石板２１は、前述のように積層させたとき振動膜２３に対向する板面全体に、帯状の焼結フェライト磁石を有している。この着磁部位は、当該板面の長手方向に延設したＳ極とＮ極とを隣り合わせて配置したもので、異なる極性が交互に、また一定の間隔で並べられた平行縞状の着磁パターンを形成している。以下、この着磁パターンを多極着磁パターンと記載する。
また、背面側永久磁石板２１の板面には、前述の支持部材１１に当該背面側永久磁石板２１を取り付けたとき、支持部材１１の各音放射穴１１ａと連通する音放射穴２１ａが各々設けられている。なお、この音放射穴２１ａは、前述の多極着磁パターンの着磁部位を避けて、即ち、多極着磁パターンのＮ極とＳ極との間隙に生じるいわゆる着磁のニュートラルゾーンに一定のピッチで設けられている。
前面側永久磁石板２４は、前述の背面側永久磁石板２１と同様に構成され、また同様な多極着磁パターンを有している。また、前面側永久磁石板２４の板面には、前述の支持部材１２に当該背面側永久磁石板２４を取り付けたとき、支持部材１２の各音放射穴１２ａと連通する音放射穴２４ａが各々設けられている。なお、音放射穴２４ａは、前面側永久磁石板２４の多極着磁パターンの着磁部位を避けて、即ち、多極着磁パターンのＮ極とＳ極との間隙に生じる、いわゆる着磁のニュートラルゾーンに一定のピッチで設けられている。
【００１３】
緩衝部材２２ａは、前述のような多極着磁パターンを有する背面側永久磁石板２１と振動膜２３との間に配置される。
振動膜２３は、材料密度が低くて曲げに強く、また絶縁性を有する振動板２３ａと、振動板２３ａの縁部分を囲むダンパ２５とを備えている。振動板２３ａは、例えば、厚さ１．０［ｍｍ］のアクリロニトリルとブタジエンとスチレンとを共重合させた（ＡＢＳ）樹脂やポリスチレン（ＰＳ）樹脂、厚さ０．５［ｍｍ］のコーン紙などによって構成されている。なお、良好に低音を再生することができる程度の厚さを有するポリイミド積層板を用いて構成してもよい。振動板２３ａは、支持部材１１の底面ならびに支持部材１２の上面形状、また背面側永久磁石板２１及び前面側永久磁石板２４の板面形状と同様に形成され、図２に例示したものでは長方形に形成され、その板面には全体に渡って蛇行している導体パターンが形成されている。この導体パターンは、振動板２３ａの長手方向へ延びる直線部分が、振動膜２３を構造体１０の一部分として積層させたときに、背面側永久磁石板２１及び前面側永久磁石板２４の各着磁のニュートラルゾーンと重なるように形成させたもので、電流が流れると電磁コイルとして作用する蛇行コイルパターン２３ｂを構成している。
【００１４】
ダンパ２５は、変形し易くまた復元力を有する、例えば適当な弾性／硬度を有するゴムなどで構成されたもので、振動膜２３の縦断面において半円形状を成すように形成され、また構造体１０を支持部材１１及び支持部材１２で覆うとき、支持部材１１の接合部１１ａと支持部材１２の接合部１２ａによって挟持される部分を備えている。ダンパ２５は、前述のように振動板２３ａの縁周を囲い、もしくは少なくとも対向する二辺に備えられるもので、振動板２３ａが接合部１１ａ，１２ａに対してフローティングしている如く当該振動板２３ａを支持部材１１，１２に支持させるものである。なお、上記のように振動板２３ａの縁端二辺にダンパ２５を備えた場合には、ダンパ２５を備えていない部分が何れにも接触しないフリー状態となるように配置／構成する。また、ダンパ２５は、例えば接着テープや接着剤などにより振動板２３ａの縁端部に貼り付け／固定されている。
振動膜２３は、支持部材１１，１２の箱状内部に振動板２３ａが配置され、ダンパ２５の外端部分、即ち前述の挟持される部分が支持部材１１の接合部１１ｂ及び支持部材１２の接合部１２ｂに載せることができる大きさに構成されている。
【００１５】
図３は、実施の形態１による電磁変換器の構成を示す断面図である。図２に示したもの同一部分に同じ符号を使用し、その説明を省略する。この図は、図１に示した一点破線のＡＡ’線の部分の縦断面を表したもので、支持部材１１と支持部材１２とを接合してその内部に構造体１０を支持した状態を示している。
支持部材１１の箱状の内部には背面側永久磁石板２１を収納し、背面側永久磁石板２１自らの磁力によって支持部材１１の箱状内部の底面に装着する。このとき、音放射穴１１ａと音放射穴２１ａが連通するように位置合わせを行って装着する。背面側永久磁石板２１の上面には緩衝部材２２ａを載せる。緩衝部材２１の上方に振動膜２３を積層させる。このとき、ダンパ２５の前述の挟持部分を支持部材１１の接合部１１ｂに搭載する。なお、ダンパ２５の前述の半円形状の部分は、自在に伸縮や変形が生じるように支持部材１１の箱状の内部空間に配置して上記のように支持部材１１に振動膜２３を搭載する。なお、ダンパ２５の形状は、図３に示した図中上方へ凸状に湾曲した断面形状に限定されるものではない。
【００１６】
振動膜２３の上側には緩衝部材２２ｂを載せる。また、緩衝部材２２ａ及び緩衝部材２２ｂによってダンパ２５の可動範囲が制限されないように、具体的にはダンパ２５に緩衝部材２２ａ，２２ｂが重ならないように、もしくはダンパ２５と緩衝部材２２ａ，２２ｂが接触しないように当該緩衝部材２２ａ、振動膜２３、及び、緩衝部材２２ｂを積層する。
支持部材１２の箱状の内部には前面側永久磁石板１２を収納し、前面側永久磁石板１２自らの磁力によって支持部材１２の箱状内部の上面に装着する。このとき、音放射穴１２ａと音放射穴２４ａが連通するように位置合わせを行って装着する。前面側永久磁石板１２を装着した支持部材１２を支持部材１１に接合し、緩衝部材２２ｂの上方に前面側永久磁石板２４を積層させる。また、上記の接合により接合部１１ｂと接合部１２ｂとの間にダンパ２５の挟持部分が挟まれてフレーム内部に振動膜２３が支持される。このように接合されたとき、振動膜２３の蛇行コイルパターン２３ｂは、図示したように背面側永久磁石板１１及び前面側永久磁石板１２の各磁極間に生じるニュートラルゾーンｎｚに配置されている。
【００１７】
次に動作について説明する。
図４は、実施の形態１による電磁変換器の動作を示す説明図である。図２，３に示したものと同一部分に同じ符号を使用し、その説明を省略する。この図は、図３に示した支持部材１１と支持部材１２とを接合したフレーム内部において、振動膜２３が振動しているときのダンパ２５の動きを示したものである。
振動膜２３の蛇行コイルパターン２３ｂにオーディオ信号等の電流が流れると電磁誘導によって磁力が生じ、背面側永久磁石板２１及び前面側永久磁石板２４と電磁結合して振動膜２３にオーディオ振動が発生する。一般的なポリイミドフィルムの振動膜は、大きな振幅の振動を発生するオーディオ信号が当該振動膜の蛇行コイルパターンに供給されると、大きな振幅の振動を発生させようとする磁力と空気抵抗等の相互作用によって変形し、空気を振動させることができなくなる。
【００１８】
振動板２３ａは、前述のように一般的なポリイミドフィルムに比べて硬質の素材によって構成されていることから、大きな振幅の振動を生じさせるオーディオ信号が蛇行コイルパターン２３ｂに供給されたとき、前述のような変形が発生せず、低音域ならびに音圧の大きな可聴音を再生する。振動板２３ａは、図４に示したようにダンパ２５を介して支持部材１１，１２に支持されているので、蛇行コイルパターン２３ｂに流れた電流によって発生した振動が支持部材１１，１２へ直接伝搬しない。換言すると、振動板２３ａが、支持部材１１，１２に直接固定されないように構成して、振動板２３ａの振動が支持部材１１，１２との接触部分において減衰することを避けている。
振動板２３ａに大振幅の振動が発生したときには、図４に示したようにダンパ２５は、振動板２３ａが概ね自らの振動方向において変位するように、即ち振動板２３ａを概ね図中上下方向に平行移動させるように変形／伸縮する。ダンパ２５が変形／伸縮しているときでも、振動板２３ａは蛇行コイルパターン２３ｂに流れたオーディオ信号に応じて振動し、当該振動が制限されることなくオーディオ再生音を発生する。
【００１９】
例えば、前述のような電磁変換器２を複数個、図１の筐体３に装着したときには、各電磁変換器２から異なる方向へオーディオ再生音が放射され、無指向性のスピーカ装置として動作する。筐体３の正面は、前述のように屏風状に形成されている。電磁変換器２は、オーディオ再生音を主に当該電磁変換器２の振動膜２３の膜面の鉛直方向へ放射することから、前述のように筐体３の正面に複数の電磁変換器２を装着して、当該複数の電磁変換器２を屏風状に配置すると、各電磁変換器２のオーディオ再生音が複数の方向へ、例えば角度αをもって各方向へ放射され、筐体３の周囲もしくは前方に無指向性の音響が生じる。
【００２０】
以上のように実施の形態１によれば、振動膜２３の振動板２３ａをポリイミドフィルムよりも硬質の素材で構成し、振動板２３ａの縁周にダンパ２５を備え、ダンパ２５を介して振動膜２３を支持部材１１，１２に支持させるようにしたので、振動板２３ａの振動が支持部材１１，１２によって妨げられなくなり、振動板２３ａを大きな振幅で振動させることができるようになって、低音再生能力を向上させ、また音圧レベルを向上させることができるという効果がある。
また、複数の電磁変換器２を屏風状に連ねて装着するようにスピーカ装置の筐体３を構成したので、正面投影面積を抑えながらオーディオ再生音の放射面積を稼ぎ、低音再生能力の向上、音圧レベルの向上、及び無指向性の音響出力を得ることができるという効果がある。
【図面の簡単な説明】
【００２１】
【図１】この発明の実施の形態１によるスピーカ装置の構成を示す説明図である。
【図２】実施の形態１による電磁変換器の構成を示す分解斜視図である。
【図３】実施の形態１による電磁変換器の構成を示す断面図である。
【図４】実施の形態１による電磁変換器の動作を示す説明図である。
【符号の説明】
【００２２】
１  スピーカ装置、２  電磁変換器、３  筐体、１０  構造体、１１，１２  支持部材、１１ａ．１２ａ，２１ａ，２４ａ  音放射穴、１１ｂ，１２ｂ  接合部、２１  背面側永久磁石板、２２ａ，２２ｂ  緩衝部材、２３  振動膜、２３ａ  振動板、２３ｂ  蛇行コイルパターン、２４  前面側永久磁石板、２５  ダンパ。
【図１】
2008259049.tif 000003
【図２】
2008259049.tif 000004
【図３】
2008259049.tif 000005
【図４】
2008259049.tif 000006